【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
外部装置から受信した無線接続要求に基づいて前記外部装置と無線接続を行う情報処理装置であって、
前記情報処理装置が前記無線接続要求を受付可能な状態で受信した複数の無線接続要求のそれぞれに含まれる前記外部装置の名称を示す情報が同じであるか否かを判定する第１の判定手段と、
前記情報処理装置が前記無線接続要求を受付可能な状態で受信した複数の無線接続要求のそれぞれに含まれる装置固有情報が同じであるか否かを判定する第２の判定手段とを有し、
前記第１の判定手段によって前記外部装置の名称を示す情報が同じであると判定し、前記第２の判定手段によって前記装置固有情報が同じでないと判定した場合に、前記情報処理装置は、前記無線接続要求を受け付けない状態に移行することを特徴とする情報処理装置。
【請求項２】
前記第１の判定手段によって前記外部装置の名称を示す情報が同じであると判定し、前記第２の判定手段によって前記装置固有情報が同じであると判定した場合に、前記外部装置と無線接続を行うことを特徴とする請求項１に記載の情報処理装置。
【請求項３】
前記第１の判定手段によって前記外部装置の名称を示す情報が同じであると判定し、前記第２の判定手段によって前記装置固有情報が同じであると判定した場合に、前記外部装置と無線接続を行うか否かの選択をユーザから受け付けるための画面を表示する表示手段をさらに有することを特徴とする請求項１に記載の情報処理装置。
【請求項４】
前記画面には、前記外部装置の名称を示す情報が表示されることを特徴とする請求項３に記載の情報処理装置。
【請求項５】
前記第１の判定手段によって前記外部装置の名称を示す情報が同じであると判定し、前記第２の判定手段によって前記装置固有情報が同じでないと判定した場合に、前記外部装置と通信を行うための電波の送信を停止する制御手段をさらに有することを特徴とする請求項１に記載の情報処理装置。
【請求項６】
外部装置から受信した無線接続要求に基づいて前記外部装置と無線接続を行う情報処理装置の制御方法であって、
前記情報処理装置が前記無線接続要求を受付可能な状態で受信した複数の無線接続要求のそれぞれに含まれる前記外部装置の名称を示す情報が同じであるか否かを判定し、
前記情報処理装置が前記無線接続要求を受付可能な状態で受信した複数の無線接続要求のそれぞれに含まれる装置固有情報が同じであるか否かを判定し、
前記外部装置の名称を示す情報が同じであると判定し、前記装置固有情報が同じでないと判定した場合に、前記情報処理装置は、前記無線接続要求を受け付けない状態に移行することを特徴とする情報処理装置の制御方法。
【請求項７】
コンピュータを、請求項１乃至５のいずれか１項に記載の情報処理装置の各手段として機能させるためのプログラム。
【請求項８】
外部装置から無線接続要求を受信する受信手段と、
前記受信手段によって受信した無線接続要求に基づいて前記外部装置と無線接続を行う接続手段と、
前記受信手段によって第一の無線接続要求と第二の無線接続要求を受信し、前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じではない場合、前記接続手段によって前記外部装置と接続を行わないように制御する制御手段を有することを特徴とする情報処理装置。
【請求項９】
前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じである場合、前記第一の無線接続要求と前記第二の無線接続要求のうち、後から受信した無線接続要求を破棄することを特徴とする請求項８に記載の情報処理装置。
【請求項１０】
前記制御手段は、前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じではない場合、外部装置と通信を行うための電波の送信を停止することを特徴とする請求項８に記載の情報処理装置。
【請求項１１】
前記制御手段は、無線接続要求を受信可能な状態で、前記受信手段によって第一の無線接続要求と第二の無線接続要求を受信し、前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じではない場合、無線接続要求を受け付けない状態に移行することを特徴とする請求項８に記載の情報処理装置。
【請求項１２】
さらに、操作部を有し、
前記操作部に前記情報処理装置の名称が表示されている状態で、前記第一の無線接続要求と前記第二の無線接続要求は前記受信手段によって受信されることを特徴とする請求項８に記載の情報処理装置。
【請求項１３】
外部装置から無線接続要求を受信する受信ステップと、
前記受信ステップによって受信した無線接続要求に基づいて前記外部装置と無線接続を行う接続ステップと、
前記受信ステップによって第一の無線接続要求と第二の無線接続要求を受信し、前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じではない場合、前記接続ステップによって前記外部装置と接続を行わないように制御する制御ステップを有することを特徴とする情報処理方法。
【請求項１４】
前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じである場合、前記第一の無線接続要求と前記第二の無線接続要求のうち、後から受信した無線接続要求を破棄することを特徴とする請求項１３に記載の情報処理方法。
【請求項１５】
前記制御ステップは、前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じではない場合、外部装置と通信を行うための電波の送信を停止することを特徴とする請求項１３に記載の情報処理方法。
【請求項１６】
前記制御ステップは、無線接続要求を受信可能な状態で、前記受信ステップによって第一の無線接続要求と第二の無線接続要求を受信し、前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じではない場合、無線接続要求を受け付けない状態に移行することを特徴とする請求項１３に記載の情報処理方法。
【請求項１７】
情報処理装置の操作部に前記情報処理装置の名称が表示されている状態で、前記第一の無線接続要求と前記第二の無線接続要求は前記受信ステップによって受信されることを特徴とする請求項１３に記載の情報処理方法。
【請求項１８】
外部装置から無線接続要求を受信するための処理を実行する受信ステップと、
前記受信ステップによって受信した無線接続要求に基づいて前記外部装置と無線接続を行うための処理を実行する接続ステップと、
前記受信ステップによって第一の無線接続要求と第二の無線接続要求を受信し、前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じではない場合、前記接続ステップによって前記外部装置と接続を行わないように制御する制御ステップをコンピュータに実行させるためのプログラム。
【請求項１９】
外部装置から無線接続要求を受信する受信手段と、
前記受信手段によって受信した無線接続要求に基づいて前記外部装置と無線接続を行う接続手段とを有する情報処理装置であって、
前記受信手段によって第一の無線接続要求と第二の無線接続要求を受信し、前記第一の無線接続要求に含まれる外部装置の名称を示す情報と前記第二の無線接続要求に含まれる外部装置の名称を示す情報が同じであるか否かを判定する第１の判定手段と、
前記第一の無線接続要求に含まれる装置固有情報と前記第二の無線接続要求に含まれる装置固有情報が同じであるか否かを判定する第２の判定手段と、
前記第１の判定手段によって前記第一の無線接続要求に含まれる外部装置の名称を示す情報と前記第二の無線接続要求に含まれる外部装置の名称を示す情報が同じであると判定され、前記第２の判定手段によって前記第一の無線接続要求に含まれる装置固有情報と前記第二の無線接続要求に含まれる装置固有情報が同じでないと判定された場合、前記接続手段によって前記外部装置と接続を行わないように制御する制御手段を有することを特徴とする情報処理装置。
【手続補正２】
【補正対象書類名】明細書
【補正対象項目名】発明の名称
【補正方法】変更
【補正の内容】
【発明の名称】情報処理装置、情報処理装置の制御方法、情報処理方法、およびプログラム
【手続補正３】
【補正対象書類名】明細書
【補正対象項目名】０００１
【補正方法】変更
【補正の内容】
【０００１】
本発明は、情報処理装置、情報処理装置の制御方法、情報処理方法、およびプログラムに関するものである。
【手続補正４】
【補正対象書類名】明細書
【補正対象項目名】０００９
【補正方法】変更
【補正の内容】
【０００９】
本発明の情報処理装置の第１の例は、外部装置から受信した無線接続要求に基づいて前記外部装置と無線接続を行う情報処理装置であって、前記情報処理装置が前記無線接続要求を受付可能な状態で受信した複数の無線接続要求のそれぞれに含まれる前記外部装置の名称を示す情報が同じであるか否かを判定する第１の判定手段と、前記情報処理装置が前記無線接続要求を受付可能な状態で受信した複数の無線接続要求のそれぞれに含まれる装置固有情報が同じであるか否かを判定する第２の判定手段とを有し、前記第１の判定手段によって前記外部装置の名称を示す情報が同じであると判定し、前記第２の判定手段によって前記装置固有情報が同じでないと判定した場合に、前記情報処理装置は、前記無線接続要求を受け付けない状態に移行することを特徴とする。
本発明の情報処理装置の第２の例は、外部装置から無線接続要求を受信する受信手段と、前記受信手段によって受信した無線接続要求に基づいて前記外部装置と無線接続を行う接続手段と、前記受信手段によって第一の無線接続要求と第二の無線接続要求を受信し、前記第一の無線接続要求に含まれる外部装置の名称を示す情報と前記第二の無線接続要求に含まれる外部装置の名称を示す情報が同じであり、前記第一の無線接続要求に含まれる装置固有情報と前記第二の無線接続要求に含まれる装置固有情報が同じではない場合、前記接続手段によって前記外部装置と接続を行わないように制御する制御手段を有することを特徴とする。
本発明の情報処理装置の第３の例は、外部装置から無線接続要求を受信する受信手段と、前記受信手段によって受信した無線接続要求に基づいて前記外部装置と無線接続を行う接続手段とを有する情報処理装置であって、前記受信手段によって第一の無線接続要求と第二の無線接続要求を受信し、前記第一の無線接続要求に含まれる外部装置の名称を示す情報と前記第二の無線接続要求に含まれる外部装置の名称を示す情報が同じであるか否かを判定する第１の判定手段と、前記第一の無線接続要求に含まれる装置固有情報と前記第二の無線接続要求に含まれる装置固有情報が同じであるか否かを判定する第２の判定手段と、前記第１の判定手段によって前記第一の無線接続要求に含まれる外部装置の名称を示す情報と前記第二の無線接続要求に含まれる外部装置の名称を示す情報が同じであると判定され、前記第２の判定手段によって前記第一の無線接続要求に含まれる装置固有情報と前記第二の無線接続要求に含まれる装置固有情報が同じでないと判定された場合、前記接続手段によって前記外部装置と接続を行わないように制御する制御手段を有することを特徴とする。